(57)【要約】【課題】トイレ等の使用時に部屋の点灯により光感知して作動し、あらゆる芳香剤や消臭剤等に付帯することのできるコンパクトタイプ軽量の光感知式拡散装置を提供すること。【解決手段】ケース５は、上部中央に受光素子１を付帯する受光ユニット７を配置し、内部には、受光ユニット７の真下にファン４を付帯するモーター２を設け、作動電源である電池３を両側に備え、固定されるように構成されている。また、消臭剤等９の形状により保持用フック８を設けたり、結束バンドを付帯することにより、設置位置を自在に変えることができるように構成した。【選択図】図1
2005253714.tif 000002
【特許請求の範囲】
【請求項１】
トイレ等の使用時に部屋の点灯により光感知をする受光ユニットと、ファンを付帯するモーターと、電線コードを必要としない乾電池等の電源ユニットと、送風することのできる送風口を設けたケースを備えることを特徴とする光感知式拡散装置。
【請求項２】
前記受光ユニットは、部屋の点灯によりファンを付帯するモーターを作動させ、部屋の消灯により作動を止めたり、また、任意の作動時間経過後に止めることのできることを特徴とする請求項１に記載の光感知式拡散装置。
【請求項３】
前記ファンは、モーターに付帯しており、前記ファンを回すだけなので、コンパクトタイプ軽量化を計るため極性の磁力をできるだけ小さくし、また、バランスをとることにより、モーターの電源が切れても、惰性でしばらくの間、前記ファンを回すことのできることを特徴とする請求項１又は２に記載の光感知式拡散装置。
【請求項４】
前記ケースは、芳香剤や消臭剤等の形状により設置位置を変えることができるように形成されており、消臭剤等の蓋部分が平面的で面積があれば、前記ケースの基底部で保持設置し、消臭剤等の蓋部分が小さい時は、前記ケースを引っかけて保持することのできる引っかけ部を設けて、あらゆる芳香剤や消臭剤等に保持設置することのできることを特徴とする請求項１〜３のいずれかの１項に記載の光感知式拡散装置。
【発明の詳細な説明】
【技術分野】
【０００１】
本発明は、トイレ等の使用時に部屋の点灯により光感知して作動し、あらゆる芳香剤や消臭剤等に付帯することのできるコンパクトタイプ軽量の光感知式拡散装置に関するものである。
【背景技術】
【０００２】
トイレ等の使用時に常設の消臭剤により、消臭対応をしても即効果を期待することができない。また、消臭スプレーを撒くには、手間もかかり、便座を濡らすこともある。
更にまた、全議室等での生活臭やタバコの臭い等をすぐに改善することができない。かかる問題点を解決するため、下記特許文献に開示される拡散装置が公知である。この光感知式拡散装置は、部屋の点灯により光感知して作動し、受光ユニットとファンを付帯するモーターとから成り、部屋の消灯により作動を止めることができるようになっている。
【特許文献１】特開２００３−１４４０３３
【特許文献２】特開２００３−０４８８０１
【特許文献３】特開２００２−３６９６４７
【特許文献４】特開２００１−３０９７４２
【特許文献５】特開平１１−３１３８８０
【発明の開示】
【発明が解決しようとする課題】
【０００３】
上記先行技術における課題は、次の通りである。トイレ等の使用後に退室する際、臭いが気になって退室に時間がかかったり、消臭剤をスプレーしたりして面倒である。また、会議室等を使用する際、窓がなかったりして換気もすぐできず、生活臭やタバコの臭い等をすぐに改善することができないことがあり面倒である。
【０００４】
本発明は上記実情に鑑みてなされたものであり、その課題は、トイレ等の使用時に部屋の点灯により光感知して作動し、あらゆる芳香剤や消臭剤等に付帯することのできるコンパクトタイプ軽量の光感知式拡散装置を提供することである。
【課題を解決するための手段】
【０００５】
上記課題を解決するため本発明に係る光感知式拡散装置は、トイレ等の使用時に部屋の点灯により光感知して作動する装置であって、光感知をする受光ユニットと、ファンを付帯するモーターと、電線コードを必要としない乾電池等の電源ユニットと、送風することのできる送風口を設けたケースを備え、部屋の消灯により作動を止めたり、また、任意の作動時間経過後に止めるように設定されていることを特徴とするものである。
【発明の効果】
【０００６】
この構成による光感知式拡散装置の作用・効果は以下の通りである。
ケース上部中央に受光ユニットを配置し、この受光ユニットの真下にファンを付帯するモーターを設け、作動電源である電池を両側に備える。したがって、部屋を点灯することにより、受光ユニットが光感知し、モーターを作動させ、ファンを回転させることができる。また、部屋を消灯すると、受光ユニットが光感知できなくなり、モーターを停止させ、ファンを停止させることのできる光感知式拡散装置を提供することができる。
【０００７】
本発明の好適な実施形態として、前記受光ユニットが、ケース上部中央に配置され、はめ込み、カバー材で保護されているものがあげられる。前記受光ユニットをケース中央に配置することにより、受光性もよく、作業においても効率的である。
【０００８】
本発明の別の好適な実施形態として、前記受光ユニットの真下中央部にファンを付帯する前記モーターを設けることにより、バランスのとれた回転をし、均等な送風をすることができる。
【０００９】
本発明の更に別の好適な実施形態として、前記モーターの両側に乾電池等の電源ユニットを設け、電線コードを必要としない作動電源とすることができ、設置場所を制限することなく設置することができる。
【００１０】
本発明の更にまた別の好適な実施形態として、部屋を点灯することにより、前記受光ユニットが光感知し、前記モーターを作動させ、前記ファンを回転させることができる。また、部屋を消灯すると、前記受光ユニットが光感知できなくなり、前記モーターを停止させ、前記ファンを停止させることができる。
【００１１】
上記課題を解決するため本発明に係る光感知式拡散装置は、本発明に係る光感知をする受光ユニットと、ファンを付帯するモーターと、電線コードを必要としない乾電池等の電源ユニットと、送風することのできる送風口を設けたケースを備えるように構成したことを特徴とするものである。
【発明を実施するための最良の形態】
【００１２】
本発明に係る光感知式拡散装置の好適な実施形態を図面を用いて説明する。図１は、光感知式拡散装置の外観斜視図を示し、図２は、本実施形態の断面図を示す図である。
【００１３】
〈光感知式拡散装置の構成〉
図１は、側面から見た外観斜視図であり、図２は、本実施形態の断面図である。光感知式拡散装置の本体部はケース５により覆われている。このケース５は、上部中央に受光素子１を付帯する受光ユニット７を配置し、内部には、受光ユニット７の真下にファン４を付帯するモーター２を設け、作動電源である電池３を受光ユニット７の両側に備え、固定されるように、構成されている。また、芳香剤や消臭剤等９の形状により設置位置を変えることができるように保持用フック８を設けたり、ケース１の送風口６に結束バンドを付帯することにより、保持設置できるように構成されている。
【００１４】
〈作動説明〉
次に、図３は、作動フローチャートにより作動説明を示す図である。トイレ等の使用時に部屋を点灯する（＃１０）、受光ユニットは感知し（＃１１）、ファン４を付帯するモーター２が作動する（＃１２）。次に、部屋を消灯する（＃１３）、受光ユニット１２感知により（＃１４）ファン４を付帯するモーター２が停止する（＃１５）。
部屋を点灯したり、消灯したりするときは、本装置の作動に干渉する支障は発生しないので、神経質になる必要はない。
【００１５】
〈本実施形態に係る機構部のシステム図〉
図４は、本実施形態に係る機構部のシステムを示す図である。
光感知式拡散装置の本実施形態に係るシステムを更に具体的に図４を用いて説明する。
ケース（１）上部中央に受光ユニット１２を配置し、受光ユニット１２の真下にファン４を付帯するモーター２を設け、作動電源である電池３を受光ユニット１２の両側に備え、部屋を点灯することにより、受光ユニット１２が光感知し、モーター２を作動させ、ファン４を回転させることができる。また、部屋を消灯すると、受光ユニット１２が光感知できなくなり、モーター２を停止させ、ファン４を停止させることができる（図４には、（１）は不図示）。
【００１６】
〈別実施形態〉
ケースやファンの材質については、特定の材質に限定されるものではなく、何でもよい。モーターもファンを回すだけなので、コンパクトタイプ軽量化を計り、作業条件を満足するものであればよい。
本発明は、本明細書で開示した実施形態以外で実施することはもちろん可能であり、ケースやモーターの大きさや形状、更に、プロペラファンやドラムファン等のファンの大きさや形状を適宜設計可能にすることができる。
【産業上の利用可能性】
【００１７】
トイレ等の使用時に部屋の点灯により光感知して作動し、あらゆる芳香剤や消臭剤等に付帯することができて、生活臭やタバコの臭い等をすぐに改善することができて、次に使用される方へ配慮されて便利である。また、部屋の消灯により作動を止めることができるため、作業時間や手間もかからず便利である。
【図面の簡単な説明】
【００１８】
【図１】本実施形態による外観斜視図
【図２】本実施形態の断面図
【図３】作動フローチャート
【図４】構成部のシステムを示す図
【符号の説明】
【００１９】
１    受光素子
２    モーター
３    電池
４    ファン
５    ケース
６    送風口
７    受光ユニット
８    保持用フック
９    消臭剤又は、芳香剤
【図１】
2005253714.tif 000003
【図２】
2005253714.tif 000004
【図３】
2005253714.tif 000005
【図４】
2005253714.tif 000006
【手続補正書】
【提出日】平成16年12月16日(2004.12.16)
【手続補正１】
【補正対象書類名】特許請求の範囲
【補正対象項目名】全文
【補正方法】変更
【補正の内容】
【特許請求の範囲】
【請求項１】
トイレの使用時に部屋の点灯により光感知をする受光ユニットと、ファンを付帯するモーターと、電線コードを必要としない乾電池等の電源ユニット、送風することのできる上部蓋部に送風口を設けたケースを備えることを特徴とする光感知式拡散装置。
【請求項２】
前記受光ユニットは、部屋の点灯によりファンを付帯するモーターを作動させ、部屋の消灯により作動を止めたり、また、任意の作動時間経過後に止めることのできることを特徴とする請求項1に記載の光感知式拡散装置。
【手続補正２】
【補正対象書類名】明細書
【補正対象項目名】０００５
【補正方法】変更
【補正の内容】
【０００５】
上記課題を解決するため本発明に係る光感知式拡散装置は、トイレ等の使用時に部屋の点灯により光感知して作動する装置であって、光感知をする受光ユニットと、ファンを付帯するモーターと、電線コードを必要としない乾電池等の電源ユニットと、送風することのできる送風口を設けたケースを備え、部屋の消灯により作動を止めたり、また、受光素子で受光した後に任意の作動時間経過後に止めることのできる電子回路を付帯され、設定されていることを特徴とするものである。